(57)【特許請求の範囲】
【請求項１】
ＡＢＳ樹脂製の透明性を有する略半円盤状の２枚の窓部と、略半円盤状の窓部の周縁のうち前記２枚の略半円盤状の窓部を略円盤状に並べたときに対向する部分である略中央部の端面を回動自在に連結するヒンジ部を構成して洗濯機の開閉蓋全体を折れ蓋構成としたポリプロピレン樹脂製の中央支持部と、前記２枚の窓部のそれぞれの周縁に配したポリプロピレン樹脂製の枠部とを備え、前記枠部を前記中央支持部と一体に構成した洗濯機の開閉蓋。
【請求項２】
枠部は、窓部の周縁を爪嵌合にて保持したポリプロピレン樹脂製の第１の枠部と、一方を前記第１の枠部に爪嵌合し他方を前記窓部と爪嵌合したポリプロピレン樹脂製の第２の枠部とで構成し、前記第２の枠部は、前記第１の枠部全体および前記窓部と第１の枠部との爪嵌合部分を覆うようにした請求項１記載の洗濯機の開閉蓋。
【発明の詳細な説明】
【０００１】
【発明の属する技術分野】
本発明は、洗濯機本体の上面に開閉自在に設ける洗濯機の開閉蓋に関するものである。
【０００２】
【従来の技術】
従来、この種の洗濯機の開閉蓋は、図５および図６に示すように構成していた。以下、その構成について説明する。
【０００３】
図５に示すように、開閉蓋１は、一端を軸支部２により上方へ回動自在に軸支して洗濯機本体３の上面に設けている。この開閉蓋１は軸支部２に略平行な軸線４に沿って折りたたみ可能な２枚の蓋体１ａ、１ｂで構成している。一方の蓋体１ａの端部には、図６（ａ）に示すように、軸線４に沿って片持支持される複数個の支持軸５を一体に形成し、他方の蓋体１ｂには、図６（ｂ）に示すように、支持軸５を保持する軸受部７を支持軸５と対応する位置に一体に形成している。
【０００４】
これら２枚の蓋体１ａ、１ｂは、支持軸５を軸受部７に貫通させ、回動自在に連結している。
【０００５】
【発明が解決しようとする課題】
最近の一般家庭では全自動洗濯機の普及が著しい。利便性は向上したが、洗濯中の水流や衣類の動きを確認したいという使用者の要望も多い。したがって、開閉蓋１を構成する蓋体１ａ、１ｂを透視性材料で構成する必要がある。
【０００６】
また、蓋体１ａ、１ｂの材料は、安価で、耐薬品性が優れているポリプロピレン等のオレフィン系樹脂を使用する場合が多いが、この材料は多少白濁しており、例えばＡＢＳ等の樹脂と比べ、十分な透明性が得られない問題がある。
【０００７】
そこで、蓋体１ａ、１ｂを安価で透明性の優れたＡＢＳ樹脂で構成することが考えられるが、ＡＢＳ樹脂は耐薬品性が劣るため、洗濯に使用する液体洗剤等の薬品が付着した状態で蓋体１ａ、１ｂの開閉作業による応力が加わると、割れてしまうという問題がある。
【０００８】
本発明は上記従来の課題を解決するもので、優れた透明性を持ち、液体洗剤等の薬品が付着した状態で、蓋体の開閉作業による応力が加わっても割れることのない開閉蓋を提供することを目的としている。
【０００９】
【課題を解決するための手段】
本発明は上記目的を解決するために、ＡＢＳ樹脂製の透明性を有する略半円盤状の２枚の窓部と、略半円盤状の窓部の周縁のうち前記２枚の略半円盤状の窓部を略円盤状に並べたときに対向する部分である略中央部の端面を回動自在に連結するヒンジ部を構成して洗濯機の開閉蓋全体を折れ蓋構成としたポリプロピレン樹脂製の中央支持部と、前記２枚の窓部のそれぞれの周縁に配したポリプロピレン樹脂製の枠部とを備え、前記枠部を前記中央支持部と一体に構成したものである。
【００１０】
これにより、中央の広い範囲を優れた透明性を有するＡＢＳ樹脂製の窓部で構成し、開閉作業による応力が加わりやすいヒンジ部と窓部の周縁を耐薬品性に優れたポリプロピレン樹脂で構成するため、広い範囲で優れた透明性を持ち、しかも洗濯で使用する液体洗剤等の薬品が付着しても割れることのない洗濯機の開閉蓋を得ることができる。
【００１１】
【発明の実施の形態】
本発明の請求項１に記載の発明は、ＡＢＳ樹脂製の透明性を有する略半円盤状の２枚の窓部と、略半円盤状の窓部の周縁のうち前記２枚の略半円盤状の窓部を略円盤状に並べたときに対向する部分である略中央部の端面を回動自在に連結するヒンジ部を構成して洗濯機の開閉蓋全体を折れ蓋構成としたポリプロピレン樹脂製の中央支持部と、前記２枚の窓部のそれぞれの周縁に配したポリプロピレン樹脂製の枠部とを備え、前記枠部を前記中央支持部と一体に構成したものであり、中央の広い範囲を優れた透明性を有するＡＢＳ樹脂製の窓部で構成し、開閉作業による応力が加わりやすいヒンジ部と窓部の周縁を耐薬品性に優れたポリプロピレン樹脂で構成するため、広い範囲で優れた透明性を持ち、しかも洗濯で使用する液体洗剤等の薬品が付着しても割れることのない洗濯機の開閉蓋を提供することができる。
【００１２】
請求項２に記載の発明は、上記請求項１に記載の発明において、枠部は、窓部の周縁を爪嵌合にて保持したポリプロピレン樹脂製の第１の枠部と、一方を前記第１の枠部に爪嵌合し他方を前記窓部と爪嵌合したポリプロピレン樹脂製の第２の枠部とで構成し、前記第２の枠部は、前記第１の枠部全体および前記窓部と第１の枠部との爪嵌合部分を覆うようにしたものであり、爪嵌合のみで強度の強い開閉蓋を容易に構成することができ、第２の枠部で複雑な爪嵌合部分を隠すことができ、デザイン的にも優れた洗濯機の開閉蓋を提供することができる。
【００１３】
【実施例】
以下、本発明の一実施例について、図面を参照しながら説明する。なお、従来例と同じ構成のものは同一符号を付して図面および説明を省略する。
【００１４】
図１および図２に示すように、略半円盤状の２枚の窓部８ａ、８ｂは、ＡＢＳ樹脂製で、透明性を有しており、ポリプロピレン製の中央支持部９ａ、９ｂにそれぞれ構成したヒンジ部１０ａ、１０ｂで回動自在に連結している。すなわち、図３に示すように、２枚の窓部８ａ、８ｂがそれぞれ対向する略中央部１１の端面を下方に折り曲げ、窓部８ａ、８ｂに設けた爪部１２を中央支持部９ａ、９ｂに設けた爪受け部１３に爪嵌合させて窓部８ａ、８ｂに中央支持部９ａ、９ｂを固定している。これら２枚の窓部８ａ、８ｂにそれぞれ固定した中央支持部９ａ、９ｂに構成したヒンジ部１０ａ、１０ｂを軸（図示せず）により回動自在に連結し、折れ蓋構成としている。
【００１５】
枠部１４は、ポリプロピレン樹脂で形成し、中央支持部９ａ、９ｂと一体に構成した第１の枠部１５ａ、１５ｂと第２の枠部１６ａ、１６ｂとで構成している。第１の枠部１５ａは、図４に示すように、爪部１７を設けており、この爪部１７を窓部８ａの周縁に設けた爪受け部１８に爪嵌合させて保持している。第２の枠部１６ａは外周縁に爪部１９を設けて第１の枠部１５ａの外周端を保持するとともに、爪受け部２０を設け、窓部８ａに設けた爪部２１を爪嵌合している。ここで、第２の枠部１６ａは、第１の枠部１５ａ全体と、窓部８ａと第１の枠部１５ａとの爪嵌合部分を覆うようにしている。
【００１６】
窓部８ｂ、第１の枠部１５ｂおよび第２の枠部１６ｂも同様にして、爪嵌合により一体に構成している。
【００１７】
上記構成において、中央の広い範囲を優れた透明性を有するＡＢＳ樹脂製の窓部８ａ、８ｂで構成し、開閉作業による応力が加わりやすいヒンジ部１０ａ、１０ｂと窓部８ａ、８ｂの周縁を耐薬品性に優れたポリプロピレン樹脂で構成するため、広い範囲で優れた透明性を持ち、しかも洗濯で使用する液体洗剤等の薬品が付着しても割れることのない開閉蓋が得られる。
【００１８】
また、枠部１４は、第１の枠部１５ａ、１５ｂと第２の枠部１６ａ、１６ｂとで構成し、第１の枠部１５ａ、１５ｂは、窓部８ａ、８ｂの周縁に爪嵌合させて保持し、第２の枠部１６ａ、１６ｂは外周縁を第１の枠部１５ａ、１５ｂの外周端を保持するとともに、窓部８ａ、８ｂに爪嵌合し、さらに、第２の枠部１６ａ、１６ｂは、第１の枠部１５ａ、１５ｂ全体と、窓部８ａ、８ｂと第１の枠部１５ａ、１５ｂとの爪嵌合部分を覆うようにしているので、爪嵌合のみで強度の強い開閉蓋を容易に構成することができ、第２の枠部１６ａ、１６ｂで、製品として組立後、爪嵌合部が使用者に見えないようにすることにより、複雑な爪嵌合部を隠すことができ、デザイン的にも優れた洗濯機の開閉蓋が得られる。
【００１９】
【発明の効果】
以上のように本発明の請求項１に記載の発明によれば、ＡＢＳ樹脂製の透明性を有する略半円盤状の２枚の窓部と、略半円盤状の窓部の周縁のうち前記２枚の略半円盤状の窓部を略円盤状に並べたときに対向する部分である略中央部の端面を回動自在に連結するヒンジ部を構成して洗濯機の開閉蓋全体を折れ蓋構成としたポリプロピレン樹脂製の中央支持部と、前記２枚の窓部のそれぞれの周縁に配したポリプロピレン樹脂製の枠部とを備え、前記枠部を前記中央支持部と一体に構成したから、中央の広い範囲を優れた透明性を有するＡＢＳ樹脂製の窓部で構成し、開閉作業による応力が加わりやすいヒンジ部と窓部の周縁を耐薬品性に優れたポリプロピレン樹脂で構成するため、広い範囲で優れた透明性を持ち、しかも洗濯で使用する液体洗剤等の薬品が付着しても割れることのない洗濯機の開閉
蓋を提供することができる。
【００２０】
また、請求項２に記載の発明によれば、枠部は、窓部の周縁を爪嵌合にて保持したポリプロピレン樹脂製の第１の枠部と、一方を前記第１の枠部に爪嵌合し他方を前記窓部と爪嵌合したポリプロピレン樹脂製の第２の枠部とで構成し、前記第２の枠部は、前記第１の枠部全体および前記窓部と第１の枠部との爪嵌合部分を覆うようにしたから、爪嵌合のみで強度の強い開閉蓋を容易に構成することができ、第２の枠部で複雑な爪嵌合部分を隠すことができ、デザイン的にも優れた洗濯機の開閉蓋を提供することができる。
【図面の簡単な説明】
【図１】  本発明の一実施例の洗濯機の開閉蓋の分解平面図
【図２】  同開閉蓋を備えた洗濯機の斜視図
【図３】  同洗濯機の開閉蓋のＡ−Ａ線における拡大分解断面図
【図４】  同洗濯機の開閉蓋のＢ−Ｂ線拡大断面図
【図５】  従来の開閉蓋を備えた洗濯機の上面図
【図６】  （ａ）  従来の洗濯機の開閉蓋の一方の蓋体の側面図
（ｂ）  同洗濯機の開閉蓋の他方の蓋体の側面図
【符号の説明】
８ａ  窓部
８ｂ  窓部
９ａ  中央支持部
９ｂ  中央支持部
１０ａ  ヒンジ部
１０ｂ  ヒンジ部
１４  枠部
【図１】
0004304810.tif 000002
【図２】
0004304810.tif 000003
【図３】
0004304810.tif 000004
【図４】
0004304810.tif 000005
【図５】
0004304810.tif 000006
【図６】
0004304810.tif 000007